(57)【要約】      （修正有）【課題】ワインボトルの破損、ワインボトルのラベルの傷の発生を防止し、不要後の包装用箱の処分を容易にできる包装用箱を提供する。【解決手段】包装用箱１は、一枚のブランクシートから一体的に打ち抜かれた箱体形成片を折り曲げて上蓋５０、底蓋及び少なくとも二対の対向面を有する複数の側面が構成され、ワインボトル９５と上蓋５０の間に配され、上部が上蓋５０に接触することを防止する上部支持体４０と、ワインボトル９５と底蓋の間に配され、底部９７が底蓋に接触することを防止し、ワインボトルの凹部９８に進入して接触する係合突起９４を上蓋５０側に有する底部支持体７０と、ワインボトルの首部９９を挿通可能な貫通孔を有する第１の首部固定片３４及び第２の首部固定片３５とを備え、ワインボトル９５は、係合突起９４が凹部９８に進入して底部９７が位置決めされた状態、かつ、第１の首部固定片３４及び第２の首部固定片３５の貫通孔に首部９９が挿通された状態で収容される。【選択図】図９
0003218079.tif 000002
【実用新案登録請求の範囲】
【請求項１】
底部において外側から内側に対して先窄まりの円錐状の凹部が形成され、かつ、ワインが密封されたワインボトルを収容する包装用箱であって、
当該包装用箱は、一枚のブランクシートから一体的に打ち抜かれた箱体形成片を折り曲げて上蓋、底蓋及び少なくとも二対の対向面を有する複数の側面が構成され、
さらに、前記ワインボトルと前記上蓋の間に配され、前記ワインボトルの上部と前記上蓋との間にクリアランスを設け、前記上部が前記上蓋に接触することを防止する上部支持体と、
前記ワインボトルと前記底蓋の間に配され、前記ワインボトルの前記底部と前記底蓋との間にクリアランスを設け、前記底部が前記底蓋に接触することを防止し、かつ、前記ワインボトルの前記凹部に進入して接触する係合突起を前記上蓋側に有する底部支持体と、
対向する一対の前記側面各々の前記上蓋側端部から連続し、前記ワインボトルの首部を挿通可能な貫通孔を有する第１の首部固定片及び第２の首部固定片とを備え、
前記ワインボトルは、前記係合突起が前記凹部に進入して前記底部が位置決めされた状態、かつ、前記第１の首部固定片及び前記第２の首部固定片の前記貫通孔に前記首部が挿通された状態で、収容されることを特徴とする包装用箱。
【請求項２】
前記第１の首部固定片及び前記第２の首部固定片は、前記ワインボトルの前記首部が各々の前記貫通孔に挿通された状態で、何れか一方が前記ワインボトルの胴体側に位置し、何れか他方が前記ワインボトルの注ぎ口側に位置し、
当該注ぎ口側に位置する前記第１の首部固定片又は前記第２の首部固定片は、前記貫通孔を交差するように配され、かつ、前記対向する一対の前記側面各々の前記上蓋側端部と平行に配された折罫線により谷折りされた状態で前記ワインボトルの前記首部が挿通されることを特徴とする請求項１に記載の包装用箱。
【請求項３】
前記側面の各々は、対向する他の前記側面との間の距離が前記ワインボトルの前記胴体部分の直径よりも大きく、前記ワインボトルの側面が接触しないことを特徴とする請求項１又は請求項２に記載の包装用箱。
【請求項４】
前記箱体形成片、前記上部支持体、前記第１の首部固定片及び前記第２の首部固定片は、一枚のブランクシートから一体的に打ち抜かれて構成されていることを特徴とする請求項１乃至請求項３のうち、いずれか１に記載の包装用箱。
【請求項５】
前記第１の首部固定片及び前記第２の首部固定片は、前記貫通孔から放射状に外部に延びる切り目が形成されていることを特徴とする請求項１乃至請求項４のうち、いずれか１に記載の包装用箱。
【考案の詳細な説明】
【技術分野】
【０００１】
本考案は、ボトルに入ったワイン等の商品を個別に収納する包装用箱に関し、特に、ワインボトル等の商品の輸送、持ち帰り等に適した包装用箱に関する。
【背景技術】
【０００２】
自宅やパーティーなどでワインを楽しむ機会が増えてきている。ワインなどは通信販売によって産地から、発注者宛に宅配便により配送したり、ワインを販売店で購入して自宅に持ち帰ることが行われている。このため、ワインボトルを箱に入れて輸送、持ち運びが行っている。
【０００３】
しかしながらワインボトルは宅配用に配送したり、持ち帰る場合でも、運搬中に受ける振動や衝撃により商品が損傷したり、間違って箱を落下させてボトルが破損することがある。
【０００４】
このため、ワインボトルを発泡スチロール等の緩衝材でボトル全体を囲んだり、箱の隙間に緩衝材を入れていた。
【０００５】
また、発泡スチロール等の緩衝材に代えて、特許文献１には、収納箱体内に緩衝体を挿入収納し、この緩衝体内に瓶を挿入収納するように構成し、収納する瓶を囲み、ダンボールで形成された囲板体の底縁から少し浮上位置に支承板部を配設して、衝撃緩衝作用を有するようにした瓶収納箱が開示されている。
【先行技術文献】
【特許文献】
【０００６】
【特許文献１】特開平９−１３２２３２
【考案の概要】
【考案が解決しようとする課題】
【０００７】
ワインボトルの運搬中に受ける振動や衝撃により商品の損傷破損を防止するために、発泡スチロール等の緩衝材でボトル全体を囲んだり、箱の隙間に緩衝材を入れる等の作業に多くの時間と労力を要していた。
【０００８】
また、緩衝材としての発泡スチロール等は、廃棄時に分別してリサイクル処理が必要となる。また、ボトルを固定するために、ボトルの形状に合わせたプラスチックモールド品を使用することもあるが、モールド品の成形が必要となり、コスト高となってしまう。また、使用後に分別してリサイクル処理が必要となる。
【０００９】
また、収納箱の側面がボトル本体の胴体部と接触して収納されている場合には、輸送中の振動等により箱の側面にボトルが擦れてボトル本体の表面や貼着されているラベルを汚したり、傷ついたりして、商品価値が損なわれることがある。
【００１０】
このため、ワインボトルの配送中の輸送、持ち帰り等での使用に適した包装用箱で、贈答用に使用するものではないため豪華である必要はないが、ボトルの破損、ボトルのラベルの傷の発生を防止し、不要後の包装用箱の処分を容易にできる包装用箱が求められている。
【００１１】
そこで本考案は、ボトルに入ったワイン等の商品を個別に収納する包装用箱に関し、ボトルの破損、ボトルのラベルの傷の発生を防止し、不要後の包装用箱の処分を容易にできる包装用箱を提供することを目的とする。
【課題を解決するための手段】
【００１２】
上記目的達成のため、本考案の包装用箱は、底部において外側から内側に対して先窄まりの円錐状の凹部が形成され、かつ、ワインが密封されたワインボトルを収容する包装用箱であって、当該包装用箱は、一枚のブランクシートから一体的に打ち抜かれた箱体形成片を折り曲げて上蓋、底蓋及び少なくとも二対の対向面を有する複数の側面が構成され、さらに、前記ワインボトルと前記上蓋の間に配され、前記ワインボトルの上部と前記上蓋との間にクリアランスを設け、前記上部が前記上蓋に接触することを防止する上部支持体と、前記ワインボトルと前記底蓋の間に配され、前記ワインボトルの前記底部と前記底蓋との間にクリアランスを設け、前記底部が前記底蓋に接触することを防止し、かつ、前記ワインボトルの前記凹部に進入して接触する係合突起を前記上蓋側に有する底部支持体と、対向する一対の前記側面各々の前記上蓋側端部から連続し、前記ワインボトルの首部を挿通可能な貫通孔を有する第１の首部固定片及び第２の首部固定片とを備え、前記ワインボトルは、前記係合突起が前記凹部に進入して前記底部が位置決めされた状態、かつ、前記第１の首部固定片及び前記第２の首部固定片の前記貫通孔に前記首部が挿通された状態で、収容されることを特徴とする。
【００１３】
また、本考案の前記第１の首部固定片及び前記第２の首部固定片は、前記ワインボトルの前記首部が各々の前記貫通孔に挿通された状態で、何れか一方が前記ワインボトルの胴体側に位置し、何れか他方が前記ワインボトルの注ぎ口側に位置し、当該注ぎ口側に位置する前記第１の首部固定片又は前記第２の首部固定片は、前記貫通孔を交差するように配され、かつ、前記対向する一対の前記側面各々の前記上蓋側端部と平行に配された折罫線により谷折りされた状態で前記ワインボトルの前記首部が挿通されることを特徴とする。
【００１４】
また、本考案の前記側面の各々は、対向する他の前記側面との間の距離が前記ワインボトルの前記胴体部分の直径よりも大きく、前記ワインボトルの側面が接触しないことを特徴とする。
【００１５】
また、本考案の前記箱体形成片、前記上部支持体、前記第１の首部固定片及び前記第２の首部固定片は、一枚のブランクシートから一体的に打ち抜かれて構成されていることを特徴とする。
【００１６】
また、本考案の前記第１の首部固定片及び前記第２の首部固定片は、前記貫通孔から放射状に外部に延びる切り目が形成されていることを特徴とする。
【考案の効果】
【００１７】
本考案によれば、包装用箱は、手持ち、宅配用に使用するため豪華にする必要がなく、紙製のブランクシートのみで作られている。このため、使用済み後に容易に処分することができる。
【００１８】
また、本考案の包装用箱は、一枚のブランクシートのみで作られるため、例えば段ボール以外の他の素材を必要としないため、製造工程を簡素化することができる。
【００１９】
また、本考案によれば、箱体形成片は、一枚のブランクシートから一体的に打ち抜かれて構成されているため、包装用箱は、１種類の材質からなり、シンプルな構成を成すため、取扱いが容易である。
【００２０】
また、本考案の包装用箱は、収納されたボトルの表面が収納箱の側面、上蓋及び下蓋と直接に接していないため、落下してもボトルが直接衝撃を受けないため、割れる等の破損を防止することができる
【００２１】
また、包装用箱は、収納されたボトルの表面が収納箱の側面と直接接していないため、移動時においてもボトルのラベルを傷つけたり、汚すことがないため、商品価値を維持することができる。
【００２２】
また、本考案によればワインボトルの首部が対向する第１の首部固定片及び第２の首部固定片の貫通孔に挿通された状態で収容され、一方の首部固定片は、貫通孔を交差するように配されたことにより、ワインボトルの上部を確実に保持することができる。
【００２３】
また、本考案によれば包装用箱は、ワインを入れたボトルの底部に設けられた凹みを利用して、ワインボトルの底部と底蓋との間にクリアランスを設けボトルの底部を立方体をなす底部保持体により保持されるため、落下時等にボトルに直接衝撃を与えない。
【００２４】
また、本考案によれば、ワインボトルと上蓋の間に配され、ワインボトルの上部と上蓋との間にクリアランスを設け、上部が上蓋に接触することを防止する上部支持体を設けたことにより、落下時等にボトルに直接衝撃を与えない。
【００２５】
また、ワインボトルの首部は、第１の首部固定片及び第２の首部固定片の貫通孔に挿通され、ワインボトルの底部の凹部は、底部支持体の上蓋側に設けられた係合突起に進入して接触することにより、ワインボトルが包装用箱内で偏ることがなく、ワインボトルの包装用箱内部での位置を常に中心に保つことができる。このためワインボトルを安定した状態で輸送することができる。
【００２６】
また、本考案の包装用箱は、対向する他の側面との間の距離がワインボトルの胴体部分の直径よりも大きいため、ワインボトルの側面が接触することがない。
【００２７】
また、本考案の包装用箱は、第１の首部固定片及び第２の首部固定片の貫通孔から放射状に外部に延びる切り目が形成されている。貫通孔に切り目を設けることにより、切り目によって構成される切り目間の片は弾性特性を有するため、ワインボトルの首の太さが違っても固定可能となる。
【００２８】
さらに、スパークリングワインのコルクのようにワインボトルの首の太さより大きいコルクでも、貫通孔にコルクを通す際に切り目が変形して容易に貫通孔がコルクを通過するとともに、貫通孔の切り目の弾性特性によってワインボトルの首を固定することが可能である。
【図面の簡単な説明】
【００２９】
【図１】本考案に係る包装用箱の展開図である。
【図２】包装用箱内に内蔵される底部支持体の展開図である。
【図３】支持体形成片の折罫線に沿って正折したときの斜視図を示す。
【図４】支持体形成片を組み立てて完成した底部支持体を示す斜視図である。
【図５】包装用箱の組立方法を示す図であり、（ａ）は側面を糊付け行程後の状態、（ｂ）は（ａ）の状態を立体状に起こした状態、（ｃ）は立体状に起こした状態での底フラップ、底蓋片、糊付け部の状態を示す。
【図６】包装用箱の底蓋に底部支持体を設置した状態を示す包装用箱の断面図である。
【図７】（ａ）は、図６に示す包装用箱にワインボトルを収納して、一方の上フラップの貫通孔をワインボトルの首に挿通した状態を示す斜視図、（ｂ）は、他方の上フラップの貫通孔をワインボトルの首に挿通した状態を示す斜視図、（ｃ）は、包装用箱の上部支持片を折り曲げて上部支持体を形成した状態を示す斜視図である。
【図８】（ａ）は、上部支持体をワインボトルの頭部上に被せた状態を示し、（ｂ）は、上部支持体の上部に上蓋を被せて、切込に差込片を挿入した状態を示し、（ｃ）は、差込口に差込片を差し込んで包装用箱の完成した状態を示す斜視図である。
【図９】ワインボトルを収納した状態の包装用箱の断面図であり、（ａ）はワインボトルの高さが高い例を示し、（ｂ）はワインボトルの高さが低く、胴体部が太い例を示す。
【考案を実施するための形態】
【００３０】
以下に、図面を参照して、本考案による包装用箱を実施するための形態について図１乃至図９を参照して説明する。尚、本考案に係る包装用箱は、ボトルに入ったワイン等の商品を個別に収納する包装用箱に関し、ワインボトルの破損、ワインボトルのラベルの傷の発生を防止し、不要後の包装用箱の処分を容易にできるようにしたものである。
【００３１】
本考案に係る包装用箱は、底部において外側から内側に対して先窄まりの円錐状の凹部が形成されたワインボトルを収納するものである。ワインボトルの底部に形成された円錐状の凹部は、ボトルに密封されたワインの澱を分離するためのものである。尚、本考案による包装用箱は、ワインボトルに限らず、底部において外側から内側に対して先窄まりの円錐状の凹部が形成されたボトルをも収納することが可能である。
【００３２】
［包装用箱の構成］
包装用箱は、その底部に底部支持体を有するものである。
【００３３】
［包装用箱の展開図］
図１及び図２を参照して底部支持体を有する包装用箱の構成及び作用を説明する。図１は本考案に係る包装用箱の展開図である。図２は、包装用箱内の底蓋に内蔵される底部支持体の展開図である。
【００３４】
図１の展開図は、図９に示すワインボトル９５を収納した包装用箱１を構成する箱体形成片３の紙面の裏面側を見た状態となっており、以下、箱体形成片３の表面側が凸になる折り方が正折り、表面側が凹になる折方を逆折りと称する。
【００３５】
尚、以下の説明では、包装用箱とは、底部支持体を有するものをいい、底部支持体を含まない包装用箱を展開した状態を箱体形成片と称し、また、底部支持体を展開した状態を支持体形成片と称する。箱体形成片と支持体形成片とは同種類の部材、例えば一枚のブランクシートから別個に切り出された同じ段ボールで構成されている。また、箱体形成片と支持体形成片は一枚のブランクシートから一体的に打ち抜かれた連続した構成とすることも可能である。
【００３６】
図１に示すように、箱体形成片３は、一枚のブランクシートから一体的に打ち抜かれたものであり、矩形状の側面１２、１３、１４、１５が順に連接されてなり、側面１２及び側面１３は折罫線１２ａを介して連続し、側面１３及び側面１４が折罫線１３ａを介して連続し、側面１４及び側面１５が折罫線１４ａを介して連続している。
【００３７】
側面１２は図１の紙面の上方側において、連結片３２が折罫線３２ａを介して連接されており、連結片３２の上方に折罫線３４ａを介して上フラップ（第１の首部固定片とも称す）３４が連接されている。
【００３８】
また、側面１２は図１の紙面の下方側において、台形形状をなす底フラップ２５が折罫線２５ａを介して連接されている。連結片３２は、折罫線３２ａと平行な折罫線３４ａとの間に位置し、折罫線３４ａの上下方向の位置により、連結片３２の垂直方向の長さを変えることができる。
【００３９】
上フラップ３４は、上方側に貫通孔３７が設けられている。貫通孔３７の全周囲には、放射状に切り目３７ｂが入っている。上フラップ３４の貫通孔３７は、ワインボトルの首部を固定するためのものである。上フラップ３４の上部の両端面のコーナーは円弧上に切り取られている。
【００４０】
側面１３は図１の紙面の上方側において、連続片３９が折罫線３９ａを介して連接されており、側面１３には図１の紙面の下方側において、底蓋片２７が折罫線２７ａを介して連接されている。底蓋片２７は、略台形形状をなす傾斜辺に糊付け部２９が設けられている。
【００４１】
また、連続片３９の上部に折罫線４３ａを介して上部支持片４１が連接されている。上部支持片４１は、矩形状の支持体底面４２を有し、支持体底面４２の図１の紙面の右側に折罫線４６ａを介して支持体側面４６が設けられており、支持体側面４６の図１の紙面の右側に折罫線４９ａを介して支持体フラップ４９が連接されている。
【００４２】
支持体底面４２の図１の紙面の左側に折罫線４４ａを介して支持体側面４４が設けられており、支持体側面４４の図１の紙面の左側に折罫線４８ａを介して支持体フラップ４８が連接されている。
また、支持体底面４２の図１の紙面の下側に折罫線４１ａを介して支持体側面４３が設けられている。支持体側面４３は、連続片３９と支持体底面４２との間に位置している。
【００４３】
また、支持体底面４２の図１の紙面の上側に折罫線４５ａを介して支持体側面４５が設けられており、支持体側面４５の上部には、折罫線４７ａを介して支持体フラップ４７が設けられている。
【００４４】
側面１４は図１の紙面の上方側において、連結片３３が折罫線３３ａを介して連接されており、連結片３３の上方に折罫線３５ａを介して上フラップ（第２の首部固定片とも称す）３５が連接されている。
【００４５】
また、側面１４は図１の紙面の下方側において、台形形状をなす底フラップ２６が折罫線２６ａを介して連接されている。連結片３３は、折罫線３３ａと平行な折罫線３５ａとの間に位置し、折罫線３５ａの上下方向の位置により、連結片３３の垂直方向の長さを変えることができる。
【００４６】
上フラップ３５は、上方側に貫通孔３８が設けられている。貫通孔３８の全周囲には、放射状に切り目３８ｂが入っている。上フラップ３５の貫通孔３８は、ワインボトルの首部を固定するためのものである。上フラップ３５の上部の両端面のコーナーは円弧上に切り取られている。
【００４７】
側面１５は図１の紙面の上方側において、上蓋片５０が折罫線５０ａを介して連接されており、上蓋片５０の上方側には連接された差込片５１、及び上蓋片５０と差込片５１とを連接する折罫線５１ａの中心付近に差込口５２が設けられている。
【００４８】
側面１５は図１の紙面の下方側において、底蓋片２８が折罫線２８ａを介して連接されている。底蓋片２８は、略台形形状をなす傾斜辺に糊付け部３０が設けられている。
【００４９】
尚、箱体形成片３の底フラップ２５、２６と底蓋片３２、３３とは、包装用箱の底蓋を構成する。
また、側面１５は図１の紙面の右側において、糊付け片１６が折罫線１５ａを介して連接されている。
【００５０】
［底部支持体の展開図］
ワインボトルを収納する包装用箱は、その内部の底部に底部支持体を有している。次に、図２を参照して、底部支持体を構成する支持体形成片について説明する。
【００５１】
図２の展開図は、図４に示す底部支持体７０を構成する支持体形成片７１の紙面の裏面側を見た状態となっており、以下、支持体形成片７１の表面側が凸になる折り方を正折りと称する。
【００５２】
支持体形成片７１は、中心に十字切り欠き７５を設けた上面７３を有している。上面７３は、図２の紙面の右側において所望の高さの壁面を構成するべく、矩形状の側面７６が折罫線７６ａを介して連接されている。
【００５３】
側面７６は、図２の紙面の右側において矩形状の底面８０が折罫線８０ａを介して連接されている。底面８０は包装用箱の底蓋と接する面であり、図２の紙面の右側において、矩形状の折返片８４が折罫線８４ａを介して連接されている。
【００５４】
折返片８４の図２の紙面の右端の中央に係合突起片８６が設けられている。係合突起片８６は、略半円形状をなし、底部支持体７０の形成時に、上面７３の中心に位置する十字切り欠き７５の上下方向の切り欠きに挿入されて上面７３の表面に突出する。
【００５５】
上面７３は、図２の紙面の左側において所望の高さの壁面を構成するべく、矩形状の側面７８が折罫線７８ａを介して連接されている。
【００５６】
側面７８は、図２の紙面の左側において矩形状の底面８１が折罫線８１ａを介して連接されている。底面８１は包装用箱の底蓋と接する面であり、図２の紙面の左側において、矩形状の折返片８５が折罫線８５ａを介して連接されている。
【００５７】
折返片８５の図２の紙面の左端の中央に係合突起片８７が設けられている。係合突起片８７は、略半円形状をなし、底部支持体７０の形成時に、上面７３の中心に位置する十字切り欠き７５の上下方向の切り欠きに挿入されて上面７３の表面に突出する。
【００５８】
上面７３は、図２の紙面の上側において所望の高さの壁面を構成するべく、矩形状の側面７９が折罫線７９ａを介して連接されている。
【００５９】
側面７９は、図２の紙面の上側において矩形状の底部支持面８３が折罫線８３ａを介して連接されている。底部支持面８３は包装用箱の底蓋と接する面であり、図２の紙面の上側において、矩形状の折返片８９が折罫線８９ａを介して連接されている。
【００６０】
折返片８９の図２の紙面の上端の中央に係合突起片９１が設けられている。係合突起片９１は、略半円形状をなし、上面７３の中心に位置する十字切り欠き７５の左右方向の切り欠きに挿入されて上面７３の表面に突出する。
【００６１】
また、連接された底部支持面８３と折返片８９と係合突起片９１との左右の中心位置の垂直方向に切欠部９３が設けられている。
【００６２】
上面７３は、図２の紙面の下側において所望の高さの壁面を構成するべく、矩形状の側面７７が折罫線７７ａを介して連接されている。
【００６３】
側面７７は、図２の紙面の下側において矩形状の底部支持面８２が折罫線８２ａを介して連接されている。底部支持面８２は包装用箱の底蓋と接する面であり、図２の紙面の下側において、矩形状の折返片８８が折罫線８８ａを介して連接されている。
【００６４】
折返片８８の図２の紙面の下端の中央に係合突起片９０が設けられている。係合突起片９０は、略半円形状をなし、上面７３の中心に位置する十字切り欠き７５の左右方向の切り欠きに挿入されて上面７３の表面に突出する。
【００６５】
また、連接された底部支持面８２と折返片８８と係合突起片９０との左右の中心位置の垂直方向に切欠部９２が設けられている。
【００６６】
切欠部９２、９３は、底部支持体７０の形成時に、底面８０、８１及び折返片８４、８５の係合突起片８６、８７が十字切り欠き７５の上下方向の切り欠きに挿入されて上面７３の表面に突出する際の隙間を設けるためのものである。
【００６７】
次に、図３及び図４を参照して、図２に示す支持体形成片７１を組み立てて底部支持体７０を構成する手順について説明する。図３は、支持体形成片の折罫線に沿って正折したときの斜視図を示し、図４は、支持体形成片を組み立てて完成した底部支持体を示す斜視図である。
【００６８】
図３に示すように、支持体形成片７１の上面７３の裏面が上になるように平面上に支持体形成片７１を置くようにする。その後、例えば、上面７３から最も離れた折罫線８４ａ（図２に示す）、８５ａ、８８ａ（図２に示す）、８９ａに沿って表面側が凸になるように正折りをする。
【００６９】
次に、上面７３から離れた折罫線８０ａ、８１ａ、８２ａ，８３ａに沿って表面側が凸になるように正折りをする。その後、上面７３の端面に位置する折罫線７６ａ、７７ａ、７８ａ、７９ａに沿って表面側が凸になるように正折りをする。
【００７０】
尚、この状態における各折罫線の正折りは、各片が直角近くに折る必要はなく、例えば、図３に示す程度でよく、折罫線での折り位置が明確となり、曲げ方向が正しければよい。このように、全ての折罫線に沿って表面側が凸になるように正折りをすることにより、図３に示す支持体形成片７１が得られる。
【００７１】
次に、図３に示す支持体形成片７１を組み立てて図４に示す底部支持体を完成するまでの組み立て手順を説明する。
【００７２】
最初に、図３に示す折返片８８の先端に位置する係合突起片９０を上面７３の裏側から折罫線８８ａと平行な十字切欠き７５の十字の一方の切欠きに挿入して、係合突起片９０を上面７３の表面から突出させる。図４に示すように、係合突起片９０は上面７３と係合する。
【００７３】
また、図３に示す折返片８９の先端に位置する係合突起片９１を上面７３の裏側から折罫線８９ａと平行な十字切欠き７５の十字の一方の切欠きに挿入して、係合突起片９１は上面７３の表面から突出させる。これにより、係合突起片９１は上面７３と係合する。
【００７４】
これにより、上面７３の裏面の対向する端面側には、側面７７、７９がほぼ垂直に連接され、切欠部９２、９３を有する底部支持面８２、８３が、上面７３の裏面と平行に位置する。
【００７５】
その後、図３に示す折返片８４の先端に位置する係合突起片８６を切欠部９２、９３を通して上面７３の裏側から折罫線８４ａと平行な十字切欠き７５の十字の他方の切欠きに挿入して、係合突起片８６は上面７３の表面から突出させる。これにより、係合突起片８６は上面７３と係合する。
【００７６】
また、図３に示す折返片８５の先端に位置する係合突起片８７を切欠部９２、９３を通して上面７３の裏側から折罫線８５ａと平行な十字切欠き７５の十字の他方の切欠きに挿入して、係合突起片８７は上面７３の表面から突出させる。これにより、係合突起片８７は上面７３と係合する。
【００７７】
これにより、図２に示す支持体形成片７１から図４に示す底部支持体７０が完成する。図４に示す底部支持体７０における上面７３の中央の十字切欠き７５には正面視で十字形状を成す係合突起部９４が設けられている。尚、係合突起部９４は、係合突起片８６、８７、９０、９１からなる。
【００７８】
［包装用箱の組み立て方法］
次に、箱体形成片から包装用箱を組み立てる方法について図５を参照して説明する。
【００７９】
図５は、包装用箱の組立方法を示す図であり、（ａ）は側面を糊付け行程後の状態、（ｂ）は（ａ）の状態を立体状に起こした状態、（ｃ）は立体状に起こした状態での底フラップ、底蓋片、糊付け部の状態を示す。
【００８０】
図５（ａ）に示すように、図１に示す一枚のブランクシートから一体的に打ち抜かれた箱体形成片３を折罫線１２ａ、１３ａ、１４ａ、１５ａに沿って表面側が凸になるように正折りし、底蓋を形成するために折罫線２５ａ、２６ａ、２７ａ、２８ａに沿って表面側が凸になるように正折りをする。このとき、図１に示す折罫線２９ａ、３０ａを谷折りして、糊付け部２９と底フラップ２５とが重なるようにし、糊付け部３０と底フラップ２６とが重なるようにする。
【００８１】
さらに、上蓋を形成するために折罫線３２ａ、３３ａ、３９ａ、５０ａに沿って表面側が凸になるように正折りをする。また、折罫線４３ａ、４１ａ、４６ａ、４９ａ、４５ａ、４７ａ、４４ａ、４８ａに沿って表面側が凸になるように正折りをする。また、折罫線３４ａ、３５ａに沿って表面側が凹になるように逆折りをする。尚、この状態における各折罫線の正折りは、各片が直角近くに折る必要はなく、例えば、折罫線での折り位置が明確となり、曲げ方向が正しければよい。
【００８２】
図５（ａ）に示すように、側面１２、１５が側面１３、１４と重なるように正折りして、この状態で、側面１２の裏面の右側端部に折罫線１５ａを一致させて糊付け片１６の表面全体を側面１２に接触させて、糊材を介して固定する。
【００８３】
その状態で、糊付け部２９と底フラップ２５とを糊材を介して固定し、糊付け部３０と底フラップ２６とを糊材を介して固定する。
【００８４】
その後、図５（ｂ）に示すように、側面１２、１５を側面１３、１４から起立させるようにして箱体形成片３を立体状とする。このとき、箱体形成片３の上部から矢印で示すように底部支持体７０（図４に示す）を挿入して、底蓋上に設置する。
【００８５】
図５（ｃ）に示すように、箱体形成片３を立体状にすることにより、底フラップ２５、２６、底蓋片２７、２８、糊付け部２９、３０によって、包装用箱１の底蓋が形成される。
【００８６】
その結果、側面１２と側面１４とが対向し、側面１３と側面１５とが対向し立体が形成される。このように、箱体形成片３を立体状にして、包装用箱の底蓋に底部支持体７０を設置する。
【００８７】
図６は、包装用箱の底蓋に底部支持体７０を設置した状態を示す包装用箱の断面図である。図６に示すように、包装用箱の底フラップ２５、２６と底蓋片２７、２８と糊付け部２９、３０とからなるとからなる底蓋に底部支持体７０の係合突起部９４が包装用箱の上部側に位置するように設置する。このようにして包装用箱１の底蓋が形成される。
【００８８】
［ワインボトルの首部の固定方法］
次に、包装用箱にワインボトルを収納して、ワインボトルの首部を固定する手順について図７を参照して説明する。ワインボトルは包装用箱に収納する際に、ワインボトルの底部に形成されている外側から内側に対して先窄まりの円錐状の凹部が、底部支持体の係合突起部と係合するように設置する。
【００８９】
図７（ａ）は、図６に示す包装用箱にワインボトルを収納して、一方の上フラップの貫通孔をワインボトルの首に挿通した状態を示す斜視図であり、図７（ｂ）は、他方の上フラップの貫通孔をワインボトルの首に挿通した状態を示す斜視図である。
【００９０】
図７（ａ）に示すように、一方の上フラップ３４をワインボトル９５の上部側に位置させて、上フラップ３４の貫通孔３７をワインボトル９５の首部９９に挿通する。
【００９１】
また、図７（ｂ）に示すように、他方の上フラップ３５をワインボトル９５の上部側に位置させて、上フラップ３４の貫通孔３８をワインボトル９５の首部９９に挿通する。このとき、貫通孔３８をワインボトル９５の首部９９に交差するように位置させる。折罫線３８ａにより谷折りされた状態でワインボトル９５の首部９９が挿通される。
【００９２】
また、上フラップ３４である第１の首部固定片及び上フラップ３５である第２の首部固定片の貫通孔３７、３８には、貫通孔３７、３８から放射状に外部に延びる切り目３７ｂ、３８ｂ（図１に示す）が形成されている。貫通孔３７、３８に切り目を設けることにより、切り目３７ｂ、３８ｂによって構成される切り目間の片は弾性特性を有するため、ワインボトルの首の太さが違っても固定可能となる。
【００９３】
さらに、スパークリングワインのコルクのようにワインボトルの首の太さより大きいコルクでも、貫通孔にコルクを通す際に切り目が変形して容易に貫通孔がコルクを通過するとともに、貫通孔の切り目の弾性特性によってワインボトルの首を固定することが可能である。
【００９４】
これにより、ワインボトル９５の首部９９は、対向する位置に設けられている上フラップ３４、３５の貫通孔３７、３８により固定される。
【００９５】
このように、上フラップ（第１の首部固定片）３４及び上フラップ（第２の首部固定片）３５は、ワインボトル９５の首部９９が各々の貫通孔３７、３８に挿通された状態で、何れか一方がワインボトル９５の胴体部９６（図９（ｂ）に示す）側に位置し、何れか他方がワインボトル９５の注ぎ口側に位置している。
【００９６】
尚、図７（ｂ）に示す形態では、上フラップ３４がワインボトル９５の胴体部９６側に位置し、上フラップ３５がワインボトル９５の注ぎ口側に位置している。
【００９７】
図７（ｃ）は、包装用箱の上部支持片を折り曲げて上部支持体を形成した状態を示す斜視図である。図７（ｃ）に示すように、上部支持片４１は、支持体底部４２の４辺の端面に位置する折罫線４１ａ、４４ａ、４５ａ、４６ａを裏面側に折り、さらに、支持体側面４３、４４、４５、４６に連接した折罫線４３ａ、４８ａ、４７ａ、４９ａを裏面側に折るようにする。これにより、上部支持片４１は、上部支持体４０を成し、支持体フラップ４７、４８、４９（図示せず）が、連続片３９の裏面側に接するように位置する。
【００９８】
図８（ａ）は、上部支持体をワインボトルの頭部上に被せた状態を示す。図８（ａ）に示すように、上部支持体４０をワインボトル９５の頭部上に被せることにより、上部支持体４０の支持体底部４２（図１に示す）の表面がワインボトル９５の頭部上に位置する。
【００９９】
図８（ｂ）は、上部支持体の上部に上蓋を被せて、切込に差込片を挿入した状態を示す。図８（ｂ）に示すように、上蓋片５０の裏面側に接する上部支持体４０を折罫線４９ａを軸としてワインボトル９５の上部側に倒して、上蓋片５０の表面が水平状態となるように位置させる。この状態で上部支持体４０の支持体側面４４、４６と連結片３２、３３とが接触する。
【０１００】
図８（ｃ）は、差込口に差込片を差し込んで包装用箱の完成した状態を示す斜視図である。図８（ｃ）に示すように、上蓋片５０を上部支持体の表面に重ねるように倒して、上蓋片５０を上部支持体４０に重ねた後に、差込片５１を切込５６、５７に差し込んで、差込片５５を差込口５２に差し込んで、上蓋片５０を固定する。
【０１０１】
［ワインボトルを包装用箱に収納した状態］
次に、図９を参照して、包装用箱にワインボトルを収納した状態について説明する。
図９は、ワインボトルを収納した状態の包装用箱の断面図であり、（ａ）はワインボトルの高さが高い例を示し、（ｂ）はワインボトルの高さが低く、胴体部が太い例を示す。
【０１０２】
図９（ａ）に示すように、高さが高いワインボトル９５は、上フラップ（第１の首部固定片）３４及び上フラップ（第２の首部固定片）３５は、ワインボトル９５の首部９９が各々の貫通孔３７、３８に挿通された状態で、何れか一方がワインボトル９５の胴体部９６側に位置し、何れか他方がワインボトル９５の注ぎ口側に位置している。
【０１０３】
この状態で、上部支持体４０は、ワインボトル９５の上部と接するように設置される。これにより、ワインボトル９５の首部９９は、上フラップ３４、３５及び上部支持体４０により固定され、ワインボトル９５と上蓋５０の間に配された上部支持体４０によって、ワインボトル９５の上部が上蓋５０に接触することを防止する。
【０１０４】
また、ワインボトル９５の底部９７に形成された凹部９８は、底部支持体７０の係合突起片８６、８７、８８、８９からなる係合突起部９４と係合されている。これによりワインボトル９５の底部９７は底部支持体７０上の上面７３に接触しない状態である。また、底部支持体７０によって、ワインボトル９５の底部９７と包装用箱１の底蓋とが接触することを防止する。
【０１０５】
一方、図９（ｂ）に示すように、高さが低いワインボトル９５は、上フラップ（第１の首部固定片）３４及び上フラップ（第２の首部固定片）３５は、ワインボトル９５の首部９９が各々の貫通孔３７、３８に挿通された状態で、何れか一方がワインボトル９５の胴体部９６側に位置し、何れか他方がワインボトル９５の注ぎ口側に位置している。
【０１０６】
この状態で、上部支持体４０は、ワインボトル９５の上部に設置される。これにより、ワインボトル９５の首部９９は、上フラップ３４、３により固定され、ワインボトル９５と上蓋５０の間に配された上部支持体４０によって、ワインボトル９５の上部が上蓋５０に接触することを防止する。
【０１０７】
また、ワインボトル９５の底部９７に形成された凹部９８は、底部支持体７０の係合突起片８６、８７、８８、８９からなる係合突起部９４と係合されている。これによりワインボトル９５の底部９７は底部支持体７０の上面７３に接触しない状態である。また、底部支持体７０によって、ワインボトル９５の底部９７と包装用箱１の底蓋とが接触することを防止する。
【０１０８】
また、図９（ｂ）は、包装用箱は、胴体部９６が太いワインボトルを収納した例であるが、包装用箱の側面の各々は、対向する他の側面との間の距離がワインボトルの胴体部９６の直径よりも大きいため、ワインボトルの側面が接触しない。これにより、包装用箱はワインボトル９５の胴体部９６の直径が包装用箱における対向する他の側面との間の距離未満のものを収納することができる。
【０１０９】
以上述べたように本考案によれば、包装用箱は、手持ち、宅配用に使用するため豪華にする必要がなく、一枚のブランクシートのみで作られている。このため、使用済み後に容易に処分することができる。
【０１１０】
また、本考案の包装用箱は、一枚のブランクシートのみで作られるため、例えば段ボール以外の他の素材を必要としないため、製造工程を簡素化することができる。
【０１１１】
また、本考案によれば、箱体形成片は、一枚のブランクシートから一体的に打ち抜かれて構成されているため、包装用箱は、１種類の材質からなり、シンプルな構成を成すため、取扱いが容易である。
【０１１２】
また、本考案の包装用箱は、収納されたボトルの表面が収納箱の側面、上蓋及び下蓋と直接に接していないため、落下してもボトルが直接衝撃を受けないため、割れる等の破損を防止することができる
【０１１３】
また、包装用箱は、収納されたボトルの表面が収納箱の側面と直接接していないため、移動時においてもボトルのラベルを傷つけたり、汚すことがないため、商品価値を維持することができる。
【０１１４】
また、本考案によればワインボトルの首部が第１の首部固定片及び第２の首部固定片の貫通孔に挿通された状態で収容され、一方の首部固定片は、貫通孔を交差するように配されたことにより、ワインボトルの上部を確実に保持することができる。
【０１１５】
また、本考案によれば包装用箱は、ワインを入れたボトルの底部に設けられた凹みを利用して、ワインボトルの底部と底蓋との間にクリアランスを設けボトルの底部を立方体をなす底部保持体により保持されるため、落下時等にボトルに直接衝撃を与えない。
【０１１６】
また、本考案によれば、ワインボトルと上蓋の間に配され、ワインボトルの上部と上蓋との間にクリアランスを設け、上部が上蓋に接触することを防止する上部支持体を設けたことにより、落下時等にボトルに直接衝撃を与えない。
【０１１７】
また、ワインボトルの首部は、第１の首部固定片及び第２の首部固定片の貫通孔に挿通され、ワインボトルの底部の凹部は、底部支持体の上蓋側に設けられた係合突起に進入して接触することにより、ワインボトルが包装用箱内で偏ることがなく、ワインボトルの包装用箱内部での位置を常に中心に保つことができる。このためワインボトルを安定した状態で輸送することができる。
【０１１８】
また、本考案の包装用箱は、対向する他の側面との間の距離がワインボトルの胴体部分の直径よりも大きいため、ワインボトルの側面が接触することがない。
【０１１９】
また、本考案の包装用箱は、第１の首部固定片及び第２の首部固定片の貫通孔から放射状に外部に延びる切り目が形成されている。貫通孔に切り目を設けることにより、切り目によって構成される切り目間の片は弾性特性を有するため、ワインボトルの首の太さが違っても固定可能となる。
【０１２０】
さらに、スパークリングワインのコルクのようにワインボトルの首の太さより大きいコルクでも、貫通孔にコルクを通す際に切り目が変形して容易に貫通孔がコルクを通過するとともに、貫通孔の切り目の弾性特性によってワインボトルの首を固定することが可能である。
【０１２１】
この考案は、その本質的特性から逸脱することなく数多くの形式のものとして具体化することができる。よって、上述した実施形態は専ら説明上のものであり、本考案を制限するものではないことは言うまでもない。
【符号の説明】
【０１２２】
１          包装用箱
３          箱体形成片
１２、１３、１４、１５  側面
１６        糊付け片
２５、２６  底フラップ（台形形状）
２７、２８  底蓋片
２９、３０  糊付け部
３２、３３  連結片
３４        上フラップ（第１の首部固定片）
３５        上フラップ（第２の首部固定片）
３７、３８  貫通孔（ボトル首部保持部）
３７ｂ、３８ｂ  切り目
３９        連続片
４０        上部支持体
４１        上部支持片
４２        支持体底面
４３、４４、４５、４６  支持体側面
４７、４８、４９  支持体フラップ
５０        上蓋片（上蓋）
５１        差込片
５２        差込口
５５        差込片
５６、５７  切込
１２a、１３a、１４a、１５a、２５a、２６a、２７a、２８a、２９a、３０a、３２ａ、３３ａ、３４ａ、３５ａ、３８ａ、３９a、４１ａ、４３a、４４a、４５ａ、４６a、４７a、４８a、４９a、５０a、５１a  折罫線
７０        底部支持体
７１        支持体形成片
７３        上面
７５        十字切欠き
７６，７７、７８、７９  側面
８０、８１  底面
８２、８３  底部支持面
８４、８５  折返片
８６、８７  係合突起片
８８、８９  折返片
９０、９１  係合突起片
９２、９３  切欠（部）
７６ａ、７７a、７８a、７９a、８０a、８１a、８２a、８３ａ、８４a、８５ａ、８８a、８９a  折罫線
９４        係合突起部
９５        ワインボトル
９６        胴体部
９７        底部
９８        凹部
９９        首部
【図１】
0003218079.tif 000003
【図２】
0003218079.tif 000004
【図３】
0003218079.tif 000005
【図４】
0003218079.tif 000006
【図５】
0003218079.tif 000007
【図６】
0003218079.tif 000008
【図７】
0003218079.tif 000009
【図８】
0003218079.tif 000010
【図９】
0003218079.tif 000011